(57)【要約】【課題】  面倒な撮影操作を増やすことなくストーリ性に優れ且つ完成度が高い動画撮影を可能にする。【解決手段】  被写体の像を時間軸に沿って撮像する撮像手段（１６）と、前記撮像手段からの撮像信号を動画ファイルに変換する変換手段（３２）と、該動画ファイルを記憶する記憶手段（３７）と、動画の中の一つながり部分のそれぞれについての撮影指南情報を含むシナリオデータを保持するシナリオデータ保持手段（３４）と、前記撮像手段を用いて行われる動画の各シーンの撮影時に前記シナリオデータの該当シーンの撮影指南情報を表示する表示手段（２０）とを備えた動画記録装置であって、前記シナリオデータは、各シーンの撮影指南情報としての文字によるガイダンスを含むとともに、さらに、絵コンテ、挿し絵又はイラスト若しくは写真によるガイダンスを含み、且つ、各シーンの撮影条件を設定するための撮影条件データを含む。【選択図】    図２
2006174318.tif 000002
【特許請求の範囲】
【請求項１】
被写体の像を時間軸に沿って撮像する撮像手段と、前記撮像手段からの撮像信号を動画ファイルに変換する変換手段と、該動画ファイルを記憶する記憶手段と、動画の中の一つながりの断片部分であるシーンのそれぞれについての撮影指南情報を含むシナリオデータを保持するシナリオデータ保持手段と、前記撮像手段を用いて行われる動画の各シーンの撮影時に前記シナリオデータの該当シーンの撮影指南情報を表示する表示手段とを備えた動画記録装置であって、
前記シナリオデータは、各シーンの撮影指南情報としての文字によるガイダンスを含むとともに、さらに、絵コンテ、挿し絵又はイラスト若しくは写真によるガイダンスを含み、且つ、各シーンの撮影条件を設定するための撮影条件データを含むことを特徴とする動画記録装置。
【請求項２】
前記撮影条件データは、絞り、被写界深度、画角、ズーム倍率、画像のボケ具合、露出、ホワイトバランス又は自動手ブレ補正の制御データであることを特徴とする請求項１記載の動画記録装置。
【請求項３】
更に、前記シナリオデータに含まれる各シーンの撮影条件データに基づいて、当該シーンにおける前記撮像手段による撮影動作を制御する撮影制御手段、を備えたことを特徴とする請求項１記載の動画記録装置。
【請求項４】
前記シナリオデータ保持手段は、複数種類のシナリオデータを保持し、このシナリオデータ保持手段に保持された複数種類のシナリオデータの内で任意のシナリオデータを選択する選択手段、を更に備え、前記表示手段は、当該選択手段で選択されたシナリオデータに含まれる撮影指南情報を表示する、ことを特徴とする請求項１記載の動画記録装置。
【請求項５】
更に、前記記憶手段に記憶された動画ファイルを読み出して表示し、その動画ファイルを前記シナリオデータに含まれる各シーンの撮影指南情報に基づいて編集する編集手段、を備えたことを特徴とする請求項１記載の動画記録装置。
【請求項６】
前記絵コンテ、挿し絵又はイラスト若しくは写真によるガイダンスは、撮影構図や画角又はライティングの種類若しくはカメラワークやカメラの移動の仕方をイメージさせるものであることを特徴とする請求項１記載の動画記録装置。
【請求項７】
前記シナリオデータは、各シーンの効果音やＢＧＭ又はナレーションのデータをさらに含むことを特徴とする請求項１記載の動画記録装置。
【請求項８】
前記シナリオデータを外部から取り込んで、シナリオデータ保持手段に保持させるシナリオデータ取り込み手段をさらに備えることを特徴とする請求項１記載の動画記録装置。
【請求項９】
前記シナリオデータの取込先は、外部のパソコン、ネットワーク上のサーバ又はインターネット上のサーバ若しくはテレビジョン放送網上の配信サーバであることを特徴とする請求項８記載の動画記録装置。
【請求項１０】
被写体の像を時間軸に沿って撮像する撮像工程と、前記撮像工程からの撮像信号を動画ファイルに変換する変換工程と、該動画ファイルを記憶する記憶工程と、動画の中の一つながりの断片部分（シーン又はカット）のそれぞれについての撮影指南情報を含むシナリオデータを保持するシナリオデータ保持工程と、前記撮像工程によって行われる動画の各シーンの撮影時に前記シナリオデータの該当シーンの撮影指南情報を表示する表示工程とを有する動画記録方法であって、
前記シナリオデータは、各シーンの撮影指南情報としての文字によるガイダンスを含むとともに、さらに、絵コンテ、挿し絵又はイラスト若しくは写真によるガイダンスを含み、且つ、各シーンの撮影条件を設定するための撮影条件データを含むことを特徴とする動画記録方法。
【発明の詳細な説明】
【技術分野】
【０００１】
本発明は、動画記録装置及び動画記録方法に関し、たとえば、デジタルビデオカメラ、又は動画撮影機能付きのデジタルカメラや携帯電話機等に適用できる動画記録装置及び動画記録方法に関する。
【背景技術】
【０００２】
今日、デジタルビデオカメラ、又は動画撮影機能付きのデジタルカメラや携帯電話機等の普及に伴い、たとえば、子供の入学式や運動会などといった節目毎の代表的行事、あるいは結婚式などの行事を音声付きの動画で誰でも簡単に記録できるようになってきた。一方、こうした動画の撮影に際しては、行き当たりばったりで撮影するよりも、一応のストーリ性を持たせ、そのストーリに沿って計画的に撮影することが作品の出来映えの点からも求められるものの、かかる計画的な撮影は相応のテクニックが必要であり、誰でも簡単に行うことができなかった。
【０００３】
このような背景において、計画的な動画撮影を支援する技術（従来技術１）としては、たとえば、台本データをカメラにリアルタイムに入力し、その台本データをカメラのビューファインダーに表示（撮影画像に重ねて重畳表示）するものが知られている（たとえば、特許文献１参照）。ここで、“台本”とは、一般的に「台詞（せりふ）の書いてある本（脚本）」のことを指す（たとえば、広辞苑第三版）から、従来技術１における「台本データ」は、もっぱら文字のみのデータ（テキストデータ）と解される。
【０００４】
また、計画的な動画撮影を支援する他の技術（従来技術２）としては、たとえば、パソコンと携帯情報端末及びビデオカメラを組み合わせたものが知られている（たとえば、特許文献２参照）。
【０００５】
この従来技術２では、パソコンは、完成作品のシナリオをユーザに提供するシナリオ提供装置として機能するとともに、ビデオカメラで収集した素材を上記のシナリオに沿って組み合わせて作品を完成する編集装置としても機能する。携帯情報端末は、ユーザによってパソコン上で選択された完成作品のシナリオのデータをパソコンから取り込んで本体内に保持し、ユーザがビデオカメラを用いて素材を収集する際に、その携帯情報端末の画面上に所要のアドバイスを表示する。
【０００６】
このアドバイスは、完成作品のスタイルに必要な収集素材及び収集方法等の指南情報である。より具体的には、次に何を撮影（録音）すべきか、またはそれをどのように撮影（録音）すれば効果的かを示す指南情報であり、少なくとも、撮影構図についてのテキストアドバイスやイラストアドバイスを含む。
【０００７】
【特許文献１】特開２００１−１０３３４６号公報
【特許文献２】特開２００３−７８８６８号公報
【発明の開示】
【発明が解決しようとする課題】
【０００８】
ところで、上記の従来技術１にあっては、台本データをカメラのファインダーに表示するが、この台本データは文字のみのテキストデータであるため、いちいち“読む”という作業が必要であり、使い勝手が悪いという問題点がある。
【０００９】
これに対して、上記の従来技術２は、文字主体のテキストアドバイスのみならず、イラスト（たとえば、運動会で主人公の徒競走が終わり、着順の旗のもとで余韻を感じている場面のイラスト）アドバイスも表示できるため、このイラストアドバイスによって、撮影すべき場面の様子を一目で知ることができる。このため、従来技術１のような問題はないが、一方で、この従来技術２にあっては、テレビカメラの他に携帯情報端末やパソコンが必要なため、システムが大がかりになるという問題点がある。
【００１０】
また、上記の従来技術１及び従来技術２にあっては、いずれも台本データやシナリオを撮影者に“見せている”だけにすぎず、撮影操作のすべては、もっぱら撮影者の手に委ねられているため、たとえ、台本データやシナリオによって効果的な撮影テクニックを指南できたとしても、それに従って撮影操作を行うのは撮影者自身であるから、とりわけ高度な撮影テクニックを駆使する場合に面倒な撮影操作が増えてしまい、かえって使い勝手の悪化を招くという問題点がある。
【００１１】
そこで、本発明は、シナリオに基づいて撮影条件を制御するようにし、以て、面倒な撮影操作を増やすことなく、ストーリ性に優れ且つ完成度が高い動画撮影を可能にすることを目的とする。
【課題を解決するための手段】
【００１２】
請求項１記載の発明は、被写体の像を時間軸に沿って撮像する撮像手段と、前記撮像手段からの撮像信号を動画ファイルに変換する変換手段と、該動画ファイルを記憶する記憶手段と、動画の中の一つながりの断片部分であるシーンのそれぞれについての撮影指南情報を含むシナリオデータを保持するシナリオデータ保持手段と、前記撮像手段を用いて行われる動画の各シーンの撮影時に前記シナリオデータの該当シーンの撮影指南情報を表示する表示手段とを備えた動画記録装置であって、前記シナリオデータは、各シーンの撮影指南情報としての文字によるガイダンスを含むとともに、さらに、絵コンテ、挿し絵又はイラスト若しくは写真によるガイダンスを含み、且つ、各シーンの撮影条件を設定するための撮影条件データを含むことを特徴とする動画記録装置である。
請求項２記載の発明は、前記撮影条件データは、絞り、被写界深度、画角、ズーム倍率、画像のボケ具合、露出、ホワイトバランス又は自動手ブレ補正の制御データであることを特徴とする請求項１記載の動画記録装置である。
請求項３記載の発明は、更に、前記シナリオデータに含まれる各シーンの撮影条件データに基づいて、当該シーンにおける前記撮像手段による撮影動作を制御する撮影制御手段、を備えたことを特徴とする請求項１記載の動画記録装置である。
請求項４記載の発明は、前記シナリオデータ保持手段は、複数種類のシナリオデータを保持し、このシナリオデータ保持手段に保持された複数種類のシナリオデータの内で任意のシナリオデータを選択する選択手段、を更に備え、前記表示手段は、当該選択手段で選択されたシナリオデータに含まれる撮影指南情報を表示する、ことを特徴とする請求項１記載の動画記録装置である。
請求項５記載の発明は、更に、前記記憶手段に記憶された動画ファイルを読み出して表示し、その動画ファイルを前記シナリオデータに含まれる各シーンの撮影指南情報に基づいて編集する編集手段、を備えたことを特徴とする請求項１記載の動画記録装置である。
請求項６記載の発明は、前記絵コンテ、挿し絵又はイラスト若しくは写真によるガイダンスは、撮影構図や画角又はライティングの種類若しくはカメラワークやカメラの移動の仕方をイメージさせるものであることを特徴とする請求項１記載の動画記録装置である。
請求項７記載の発明は、前記シナリオデータは、各シーンの効果音やＢＧＭ又はナレーションのデータをさらに含むことを特徴とする請求項１記載の動画記録装置である。
請求項８記載の発明は、前記シナリオデータを外部から取り込んで、シナリオデータ保持手段に保持させるシナリオデータ取り込み手段をさらに備えることを特徴とする請求項１記載の動画記録装置である。
請求項９記載の発明は、前記シナリオデータの取込先は、外部のパソコン、ネットワーク上のサーバ又はインターネット上のサーバ若しくはテレビジョン放送網上の配信サーバであることを特徴とする請求項８記載の動画記録装置である。
請求項１０記載の発明は、被写体の像を時間軸に沿って撮像する撮像工程と、前記撮像工程からの撮像信号を動画ファイルに変換する変換工程と、該動画ファイルを記憶する記憶工程と、動画の中の一つながりの断片部分（シーン又はカット）のそれぞれについての撮影指南情報を含むシナリオデータを保持するシナリオデータ保持工程と、前記撮像工程によって行われる動画の各シーンの撮影時に前記シナリオデータの該当シーンの撮影指南情報を表示する表示工程とを有する動画記録方法であって、前記シナリオデータは、各シーンの撮影指南情報としての文字によるガイダンスを含むとともに、さらに、絵コンテ、挿し絵又はイラスト若しくは写真によるガイダンスを含み、且つ、各シーンの撮影条件を設定するための撮影条件データを含むことを特徴とする動画記録方法である。
【発明の効果】
【００１３】
請求項１又は請求項１０記載の発明によれば、撮影者は、シナリオデータに含まれる文字によるガイダンスを参照しながら各シーンの撮影を行うことができる。このため、文字によるガイダンスに、たとえば、プロのカメラマン等の高度なテクニックを含ませておけば、各シーンの撮影時に誰でも高度なテクニックを自由に駆使することができ、ストーリ性に優れ且つ完成度が高い動画撮影を行うことができる。
加えて、撮影者は、シナリオデータに含まれる絵コンテ、挿し絵又はイラスト若しくは写真によるガイダンスを参照しながら各シーンの撮影を行うこともできるため、上記の文字によるガイダンスを補完することができ、又は、いちいち文字によるガイダンスを読まなくてもシーンに必要な所要のテクニックや留意事項などを一目で知ることができる。
さらに、シナリオデータに含まれる撮影条件データによってカメラの設定が自動的に行われるため、いちいち手作業で所要の設定を行う必要がなく、操作性の大幅な簡素化を図ることもできる。
請求項２記載の発明によれば、シナリオデータに従って動画撮影をする際に、その各シーンの撮影条件のうち、絞り、被写界深度、画角、ズーム倍率、画像のボケ具合、露出、ホワイトバランス又は自動手ブレ補正が自動制御される。このため、これらの撮影条件をいちいち手作業で設定する必要がなく、操作性の大幅な簡素化を図ることができる。
しかも、これらの撮影条件を、プロのカメラマン等の高度なテクニックを再現したものにしておけば、かかる高度なテクニックをまったく意識せずに駆使することができ、きわめて完成度が高い動画撮影を行うことができる。
請求項３記載の発明によれば、撮影制御手段が、各シーンの撮影条件データに基づいて、当該シーンにおける前記撮像手段による撮影動作を制御するので、いちいち手作業で所要の設定を行う必要がなく、操作性の大幅な簡素化を図ることができる。
請求項４記載の発明によれば、複数種類のシナリオデータの中から撮影目的に合致したシナリオを選択することができ、さらに、その選択されたシナリオデータに含まれる指南情報を見ながら撮影を行うことができる。
請求項５記載の発明によれば、更に、前記記憶手段に記憶された動画ファイルを読み出して表示し、その動画ファイルを前記シナリオデータに含まれる各シーンの撮影指南情報に基づいて編集する編集手段を備えたので、撮影された各シーンのつなぎ合わせや順番の入れ替え等の編集作業をミス無く行うことができる。
請求項６記載の発明によれば、撮影者は、シナリオデータに含まれる絵コンテ、挿し絵又はイラスト若しくは写真によるガイダンスを参照することにより、撮影構図や画角又はライティングの種類若しくはカメラワークやカメラの移動の仕方を直感的に知ることができる。
請求項７記載の発明によれば、シーン毎に効果音やＢＧＭ又はナレーションを使用することができ、より完成度の高い動画撮影を行うことができる。
請求項８記載の発明によれば、動画撮影に必要なシナリオデータだけを外部から取り込むことができ、シナリオデータ保持手段の保持容量を最小限にすることができる。
請求項９記載の発明によれば、外部のパソコン、ネットワーク上のサーバ又はインターネット上のサーバ若しくはテレビジョン放送網上の配信サーバなどの任意のインフラから必要なシナリオデータをダウンロードできる。このため、ダウンロード先を制限することなく、その場に応じて適切なインフラを選択することができる。また、ダウンロードを有料とすることにより、シナリオデータの配信ビジネスも可能になる。
【発明を実施するための最良の形態】
【００１４】
以下、本発明の実施形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１５】
１．動画記録装置１の外観構成
図１は、実施形態の動画記録装置１の外観図である。この図において、動画記録装置１はデジタルビデオカメラである。但し、発明の技術思想はこれに限らない。動画を撮影して記録できるもの、たとえば、動画撮影機能付きのデジタルカメラや携帯電話機等であっても構わない。この動画記録装置１は、たとえば、縦長形状で横幅の薄いボディ２を有している。このボディ２の前面にはレンズ鏡筒３やマイクロフォン４及び撮影開始／終了スイッチ５が設けられており、ボディ２の後面には撮影／再生モード切替スイッチ６、ズーム操作スイッチ７、メニュースイッチ８及び電源スイッチ９などが設けられている。また、ボディ２の上面にはスポットライト取り付け部１０が設けられており、ボディ２の下面には三脚取り付け部１１が設けられている。さらに、ボディ２の左側面にはスピーカ１２や開閉蓋１３が設けられており、この開閉蓋１３の内側にはタッチパネル付の液晶モニター１４が取り付けられている。なお、開閉蓋１３は、図（ａ）のように開いたり（液晶モニター１４の使用状態）、図（ｂ）のように折り畳んだり（液晶モニター１４の格納状態）することができ、また、開閉蓋１３を開いた状態で付け根を回転させることにより、液晶モニター１４を好きな方向から見ることができるようになっている。
【００１６】
２．動画記録装置１の内部ブロック構成
図２は、動画記録装置１の内部ブロック図である。この図において、動画記録装置１は、機能毎に、音声入力系１５、撮像系１６（撮像手段）、制御系１７、音声出力系１８、画像記憶系１９、表示系２０（表示手段）及び操作系２１などに分類することができる。
【００１７】
これらの系毎に説明すると、音声入力系１５は、マイクロフォン４と、このマイクロフォン４で拾った音を増幅するアンプ２２と、アンプ２２で増幅されたアナログの音声信号をデジタル信号に変換するＡ／Ｄ変換部２３と、デジタル変換された音声信号を一時的に記憶する音声メモリ２４とを備える。
【００１８】
撮像系１６は、レンズ鏡筒３に収められたズーム機能及びオートフォーカス機能並びに自動手ブレ補正機能付の撮影レンズ群２５と、この撮影レンズ群２５を通過した被写体の像に対応した動画像（毎秒数十枚のフレーム画像）を出力するＣＣＤ（Charge Coupled Devices）やＣＭＯＳ（Complementary Metal Oxide Semiconductor）等で構成された半導体二次元撮像デバイスからなる電子撮像部２６と、この電子撮像部２６からの画像信号に対して所要の画像処理を施す映像処理部２７と、画像処理後の画像信号を一時的に記臆する画像メモリ２８とを備えるとともに、レンズ鏡筒３の不図示のフォーカス機構を駆動するフォーカス駆動部２９や、同ズーム機構を駆動するズーム駆動部３０、及びこれら（電子撮像部２６、映像処理部２７、フォーカス駆動部２９及びズーム駆動部３０）を制御するための撮影制御部３１を備える。
【００１９】
制御系１７は、各系を制御して動画記録装置１の動作を集中的にコントロールする制御回路３２（変換手段）と、この制御回路３２の動作に必要な各種プログラムやデータ等を不揮発的に記憶するプログラムメモリ３３と、後述のシナリオデータ（図３参照）を格納するシナリオデータメモリ３４（シナリオデータ保持手段）とを備える。
【００２０】
音声出力系１８は、制御回路３２から適宜に出力される音声データをアナログの音声信号に変換するＤ／Ａ変換部３５と、この音声信号を増幅するアンプ３６と、増幅された音声信号を拡声するためのスピーカ１２とを備える。
【００２１】
画像記憶系１９は、動画ファイルを保存するための、たとえば、磁気テープ、磁気ディスク、光ディスク、半導体メモリまたはハードディスクなどの大容量の記憶媒体３７と、記憶媒体３７に動画ファイルを書き込んだり読み出したりする読み出し／書き込み部３８とを備える。
【００２２】
表示系２０は、制御回路３２から適宜に出力されるデータを液晶モニター１４の解像度に適合したフォーマットで保持するビデオメモリ３９（ＶＲＡＭ）と、このビデオメモリ３９に保持されているデータを表示する液晶モニター１４とを備える。
【００２３】
操作系２１は、ボディ２に設けられた各種スイッチ類（撮影開始／終了スイッチ５、撮影／再生モード切替スイッチ６、ズーム操作スイッチ７、メニュースイッチ８及び電源スイッチ９）を含む操作入力部４１と、液晶モニター１４に設けられたタッチパネル４２と、これらの操作入力部４１やタッチパネル４２からの操作信号を制御回路３２に入力するための入力回路４３とを備える。
【００２４】
３．シナリオデータ４４の構造
図３は、シナリオデータ４４の概念図である。シナリオデータ４４は、たとえば、シナリオテーブル４５、シーンテーブル４６及びカットテーブル４７の三つのテーブルを結合させたリレーショナル構造とすることができる。リレーショナル構造としたとき、シナリオテーブル４５は、ユニークなシナリオ識別情報（ＩＤ）を格納するシナリオＩＤフィールド４８、そのシナリオの名前（シナリオ名）を格納するシナリオ名フィールド４９及びそのシナリオの内容を説明するための文字ガイダンス５０ａやイラストガイダンス５０ｂからなるシナリオガイダンスを格納するシナリオガイダンスフィールド５０を含み、シーンテーブル４６は、シナリオテーブル４５との連結用参照ＩＤを格納する参照ＩＤフィールド５１、ユニークなシーン識別情報（ＩＤ）を格納するシーンＩＤフィールド５２、シーンの名前（シーン名）を格納するシーン名フィールド５３を含み、カットテーブル４７は、シーンテーブル４６との連結用参照ＩＤを格納する参照ＩＤフィールド５４、ユニークなカット識別情報（ＩＤ）を格納するカットＩＤフィールド５５、そのカットの名前（カット名）を格納するカット名フィールド５６、そのカットの内容を説明するための文字ガイダンス５７ａやイラストガイダンス５７ｂからなるカットガイダンスを格納するカットガイダンスフィールド５７、そのカットの撮影に適した撮影条件データを格納する撮影条件データフィールド５８を含む。
【００２５】
シーン（Scene）とは、映像のストーリの中で、ある特定の同一地点や同一の動きのまとまりのある部分のことをいう。一般的に複数のカット（Cut）で構成されることが多い。カットは、映像の構成単位とみられる画像の一つながりの断片を指す編集用語。カメラが回り始めてから止まるまでに撮影された一つながりの断片をいう。ショット（Shot）ともいう。
【００２６】
通常、映画や放送などの分野ではシーンとカットを厳密に区別しているが、どちらも、概念的には「動画の中の一つながりの断片部分」であるので、ホームビデオなどのパーソナル用途では区別しないことも多い。本実施形態では一応、シーンとカットを区別するが、同義語として取り扱っても構わない。つまり、シーンテーブル４６とカットテーブル４７に分けているが、シーンテーブル４６を用いずに、シナリオテーブル４５とカットテーブル４７を一つのテーブルにまとめても構わない。この場合、カットテーブル４７は“シーン／カットテーブル”となり、また、それを構成するカットＩＤフィールド５５やカット名フィールド５６及びカットガイダンスフィールド５７の各々の用語（“カット”）は“シーン／カット”と読み替えられる。
【００２７】
図４〜図６は、シナリオデータ４４からのデータ取り出し概念図である。便宜的に、三つのシナリオ（Ａ、Ｂ、Ｃ）を考える。シナリオＡは二つのシーン（Ａ１、Ａ２）からなり、それぞれのシーンは各々二つのカット（Ａ１＿１、Ａ１＿２、Ａ２＿１、Ａ２＿２）からなっているものとする。また、シナリオＢは三つのシーン（Ｂ１、Ｂ２、Ｂ３）からなり、それぞれのシーンは各々三つのカット（Ｂ１＿１、Ｂ１＿２、Ｂ１＿３、Ｂ２＿１、Ｂ２＿２、Ｂ２＿３、Ｂ３＿１、Ｂ３＿２、Ｂ３＿３）からなっているものとする。また、シナリオＣは四つのシーン（Ｃ１、Ｃ２、Ｃ３、Ｃ４）からなり、それぞれのシーンは各々四つのカット（Ｃ１＿１、Ｃ１＿２、Ｃ１＿３、Ｃ１＿４、Ｃ２＿１、Ｃ２＿２、Ｃ２＿３、Ｃ２＿４、Ｃ３＿１、Ｃ３＿２、Ｃ３＿３、Ｃ３＿４、Ｃ４＿１、Ｃ４＿２、Ｃ４＿３、Ｃ４＿４）からなっているものとする。
【００２８】
今、シナリオテーブル４５のシナリオＡを選択したとすると、図４に示すように、シナリオテーブル４５からシナリオＡのシナリオ名とシナリオガイダンス（文字ガイダンス、イラストガイダンス）が取り出されるとともに、シーンテーブル４６からシナリオＡの各シーン（Ａ１、Ａ２）のシーン名が取り出され、さらに、カットテーブル４７からそれぞれのシーン（Ａ１、Ａ２）を構成する各カット（Ａ１＿１、Ａ１＿２、Ａ２＿１、Ａ２＿２）のカット名やカットガイダンス（文字ガイダンス、イラストガイダンス）及び撮影条件データが取り出される。
【００２９】
同様に、シナリオテーブル４５のシナリオＢを選択したとすると、図５に示すように、シナリオテーブル４５からシナリオＢのシナリオ名とシナリオガイダンス（文字ガイダンス、イラストガイダンス）が取り出されるとともに、シーンテーブル４６からシナリオＢの各シーン（Ｂ１、Ｂ２、Ｂ３）のシーン名が取り出され、さらに、カットテーブル４７からそれぞれのシーン（Ｂ１、Ｂ２、Ｂ３）を構成する各カット（Ｂ１＿１、Ｂ１＿２、Ｂ１＿３、Ｂ２＿１、Ｂ２＿２、Ｂ２＿３、Ｂ３＿１、Ｂ３＿２、Ｂ３＿３）のカット名やカットガイダンス（文字ガイダンス、イラストガイダンス）及び撮影条件データが取り出される。
【００３０】
同様に、シナリオテーブル４５のシナリオＣを選択したとすると、図６に示すように、シナリオテーブル４５からシナリオＣのシナリオ名とシナリオガイダンス（文字ガイダンス、イラストガイダンス）が取り出されるとともに、シーンテーブル４６からシナリオＣの各シーン（Ｃ１、Ｃ２、Ｃ３、Ｃ４）のシーン名が取り出され、さらに、カットテーブル４７からそれぞれのシーン（Ｃ１、Ｃ２、Ｃ３、Ｃ４）を構成する各カット（Ｃ１＿１、Ｃ１＿２、Ｃ１＿３、Ｃ１＿４、Ｃ２＿１、Ｃ２＿２、Ｃ２＿３、Ｃ２＿４、Ｃ３＿１、Ｃ３＿２、Ｃ３＿３、Ｃ３＿４、Ｃ４＿１、Ｃ４＿２、Ｃ４＿３、Ｃ４＿４）のカット名やカットガイダンス（文字ガイダンス、イラストガイダンス）及び撮影条件データが取り出される。
【００３１】
４．ガイダンスの用語説明
一般に、映像作品の出来映えや撮影意図の明確さは、カット毎の適切な構図、撮影アングル、カメラワーク、レンズワークなどの総合的なテクニックの巧拙で決まる。映像の迫力や繊細さなどの美的効果も同様である。
図７及び図８は、人物を撮影する場合の構図説明図である。これらの図において、人物５９のルーズな全身像を撮影する構図のことをＦｕｌｌＳｈｏｔ（略号：ＦＳ）といい、人物５９の全身像を撮影する構図のことをＦｕｌｌＦｉｇｕｒｅ（略号：ＦＦ）という。また、膝から上を撮影する構図のことをＫｎｅｅＳｈｏｔ（略号：ＫＳ）といい、上半身（腰から上）を撮影する構図のことをＷａｉｓｔＳｈｏｔ（略号：ＷＳ）という。また、胸から上を撮影する構図のことをＢｕｓｔＳｈｏｔ（略号：ＢＳ）といい、首から上のアップを撮影する構図のことをＣｌｏｓｅＵｐ（略号：ＣＵｐ）といい、さらに、顔のアップを撮影する構図のことをＢｉｇＣｌｏｓｅＵｐ（略号：ＢＣＵｐ）という。これらのＦＳ、ＷＳ、ＢＳ、ＣＵなどは、映像の撮影分野でプロのカメラマンに用いられているフレームサイズの一般名称である。カット毎にプロのテクニックを模した最適なフレームサイズをガイダンスとして表示したり、そのフレームサイズに応じたイラストを表示したりすれば、一般のユーザであってもプロのテクニックに近い映像作品の出来映え、明確な撮影意図、さらには、映像の迫力や繊細さなども期待できる。
【００３２】
図９は、風景を撮影する場合の構図説明図である。この図において、遠くの風景を撮影する構図のことをＬｏｎｇＳｈｏｔ（略号：ＬＳ）といい、少し近くの風景を撮影する構図のことをＭｅｄｉｕｍＳｈｏｔ（略号：ＭＳ）という。また、近くの風景の全景を撮影する構図のことをＦｕｌｌＳｈｏｔ（略号：ＦＳ）といい、風景の一部のアップを撮影する構図のことをＣｌｏｓｅＵｐ（略号：ＵＰ）という。
【００３３】
図１０は、カメラ６０の上下方向の構図説明図である。この図において、被写体６１を上から見下ろして撮影（カメラ６０の撮影方向を俯角にして撮影）する構図のことをＨｉｇｈＡｎｇｌｅ（略号：ＨＡ）といい、目線の高さで水平に撮影する構図のことをＥｙｅＬｅｖｅｌ（略号：ＥＬ）といい、さらに、被写体６１を下から見上げて撮影（カメラ６０の撮影方向を仰角にして撮影）する構図のことをＬｏｗＡｎｇｌｅ（略号：ＬＡ）という。一般に眼の高さのＥＬでの撮影が多い。ＥＬは安定感や生活感のある表現にも利用される。上から見下ろすＨＡは風景など広い空間や情景説明の撮影に利用されるが、人物像では寂しさや孤独感の表現にも使われることがある。逆に、下から見上げるＬＡは手前の建物等の立体感や遠近感を強調したり、子供やペットの視線による表現等にも使われる。
【００３４】
図１１は、カメラ７１を横に振りながら撮影する技法を示す図である。Ｐａｎｎｉｎｇという。
図１２は、カメラ７１を縦に振りながら撮影する技法を示す図である。上に振る場合はＴｉｌｔＵｐといい、下に振る場合はＴｉｌｔＤｏｗｎという。
【００３５】
図１３は、被写体７２の動きをカメラ７３で追う場合の技法を示す図である。カメラ７３の位置を変えずに被写体７２の動きを追って撮影することをＦｏｌｌｏｗＰａｎ（フォローパン）という。また、被写体７２と一緒にカメラ７３の位置を変えながら撮影することをＴｒａｃｋｉｎｇ（トラッキング）という。また、被写体７２をカメラ７３で追い抜きながら撮影することをＴｒａｖｅｌＰａｓｔ（トラベルパスト）という。
【００３６】
図１４は、その他の撮影技法を示す用語説明図である。被写体７４の回りをカメラ７５が回りながら撮影することをＴｒａｖｅｌｉｎｇ（トラベリング）といい、カメラ７５を定位置に構えたまま、そのカメラ７５の構図枠の一方側から他方側に移動する被写体７４を撮影することをＦｒａｍｅＩｎ（フレームイン）、ＦｒａｍｅＯｕｔ（フレームアウト）という。また、カメラ７５を台車７６に乗せて、被写体７４に近づけたり遠ざけたりして撮影することをＤｏｌｌｙＩｎ（ドーリーイン）、ＤｏｌｌｔＯｕｔ（ドーリーアウト）という。
【００３７】
図１５は、ライティングに関する用語説明図である。この図において、被写体６２の前方にカメラ６３を置いた状態で被写体６２の背後からライト６４の光を当てることをＢａｃｌＬｉｇｈｔ又はＬｉｎｅＬｉｇｈｔ若しくは逆光という。また、被写体６２の斜め後方からライト６５の光を当てることをＲｉｍＬｉｇｈｔ又は後方斜光といい、被写体６２の側方からライト６６の光を当てることをＳｉｄｅＬｉｇｈｔ又は側光という。また、被写体６２の前方下からライト６７の光を当てることをＦｏｏｔＬｉｇｈｔ又は“あおり”といい、カメラ６３の上部から被写体６２に向けてライト６８の光を当てることをＦｒｏｎｔＬｉｇｈｔ又は順光という。また、被写体６２の前方斜め上からライト６９の光を当てることをＲｅｍｂｒａｎｄｔＬｉｇｈｔ又は斜光といい、被写体６２の真上からライト７０の光を当てることをＴｏｐＬｉｇｈｔという。一般的に用いられる順光は平板な映像になりやすいが、立体感を強調したり性格描写を行いたい場合などには、レンブラント・ライト（前方斜光）やサイドライト（側光）を用いたりしてもよく、又は、輪郭やシルエットを強調したい場合には、バックライト（逆光）やリム・ライト（後方斜光）を用いてもよい。
【００３８】
５．ガイダンスの使用目的
本実施形態におけるカットテーブル５７のカットガイダンスフィールド５７には、各々のカットを実際に撮影する際に、そのカットをより効果的な演出で撮影できるような、たとえば、プロのテクニックやそれに近いテクニックを指南する文字ガイダンス５７ａが格納されていることに加え、さらに、それらの文字ガイダンス５７ａをいちいち読まなくても一目でその意味を理解できるイラストガイダンス５７ｂが格納されている点に特徴がある。たとえば、あるカットを撮影する際に「顔のアップ」を撮影した方が演出効果の点で望ましいとした場合、文字ガイダンス５７ａでは“被写体にできるだけ近づいて顔のアップを撮影しましょう”などと文章で指南するが、いちいち文章を読むのも面倒であるし、読み間違いも否めない。これに対して、同じ指南（顔のアップ）を行う場合でも、たとえば、図８（ｇ）のようなイラストを用いれば、直感的に指南内容を把握することができ、不要な労力も判読ミスも生じない。
【００３９】
さらに、本実施形態におけるカットテーブル５７の撮影条件データフィールド５８には、各々のカットを実際に撮影する際に、そのカットをより効果的な演出で撮影できるような様々な撮影条件データが格納されている。この撮影条件データは、たとえば、被写体の顔のアップ（ＢＣＵｐ）を撮影する際に、絞りを開き気味にして被写界深度を浅くする制御データとしてもよい。被写界深度を浅くして被写体の顔にピントを合わせると、被写体の背景がぼけて見え、顔のアップが引き立つからである。または、遠い風景を撮影する際には、被写界深度を深くする制御データとしてもよい。被写界深度を深くすると、遠景から近景までの全体にピントが合うからである。あるいは、画角やズーム倍率の範囲などを撮影条件データとして設定してもよく、又は、フレームサイズに応じて適切な絞りや被写界深度やボケ具合などの撮影条件データを設定してもよい。
【００４０】
また、ＨＡ（ハイ・アングル、俯角）の撮影を行う場合、広角での撮影が多くなるため、自動的に広角の焦点距離を設定したり、ワイド側に設定したりするなどの制御データとしてもよい。ＬＡ（ロー・アングル、仰角）の撮影を行う場合、明るい空が大きく入ることが多く、自動露出では絞りすぎになるため、露出を（＋）側に補正する制御データとしてもよい。
【００４１】
また、ライティングの仕方に合わせて、絞りやホワイトバランスを調節する制御データとしてもよい。
また、カメラワークやカメラの移動の仕方によっては手ブレが発生するおそれがある。このような場合、一般的にはカメラを三脚に据えて手ブレを抑えるが、横方向にカメラをパンする場合には横ブレの発生を否めない。このような場合、自動手ブレ補正をオンにする制御データとしてもよい。又は、トラッキングやトラベリングなどカメラ自体を移動する場合や手持ち撮影の場合には横ブレに加えて縦ブレも生じやすい。こうしたカメラワークを行う場合には自動手ブレ補正をオンにする制御データとしてもよい。
【００４２】
このように、本実施形態におけるカットテーブル５７の撮影条件データフィールド５８に格納される撮影条件は、たとえば、焦点距離、ズーム倍率、絞り、ボケ具合、被写界深度、露出、逆光補正、ホワイトバランス、手ぶれ補正の起動など多岐にわたるが、いずれの撮影制御データも、カットガイダンスフィールド５７に格納されている文字ガイダンス５７ａやイラストガイダンス５７ｂの内容と密接な関連性を有しており、これによって、各カット毎に記憶されたフレームサイズ、撮影アングル、照明条件、カメラワークなどの各ガイダンスに適合した最適な撮影条件データを自動設定できるようになっている。
【００４３】
６．動画撮影の実際
図１６は、動画記録装置１の簡略化した動作フローチャートを示す図である。このフローチャートは、シナリオ選択（ステップＳ１）、カット撮影（ステップＳ２）、編集（ステップＳ３）及び記録（ステップＳ４）の四つのステップを含む。
【００４４】
図１７は、図１６の動作フローチャートに従って実行されるシナリオ動画記録の一例概念図である。この図（図１７）を参照しながらシナリオ動画記録の一例を説明する。たとえば、結婚式の記録を行う場合、撮影者は、撮影の現場で動画記録装置１の電源スイッチ９をオンにした後、撮影／再生モード切替スイッチ６で「撮影モード」を選択する。
【００４５】
シナリオを利用しない動画記録（通常動画記録という）を行う場合は、そのまま撮影開始／終了スイッチ５を押せばよい。撮影開始／終了スイッチ５を１回押すと「撮影開始」、もう一度押すと「撮影終了」となり、その間の動画（音声付き）ファイルが記憶媒体３７に記録される。このような通常動画記録を行う場合、撮影の度に動画ファイルが記録されるため、事後に各動画ファイルをつなぎ合わせて編集し、一つの動画ファイルにまとめなければならない。それにはパソコン等の編集装置が必要であり、また、相応の手間もかかる。
【００４６】
これに対して、本実施形態の動画記録装置１では、「シナリオ動画記録」という便利なモードが用意されている。撮影の際にメニュースイッチ８などを操作して、この便利なモード（シナリオ動画記録）を選択することにより、上記の編集作業を不要にできる。つまり、所望のシナリオ（たとえば、結婚式のシナリオ）に沿ってシーンやカットを撮影するだけで、最終的に動画記録装置１の内部でそれらのシーンやカットの動画ファイルをつなぎ合わせて一つの完成作品（動画ファイル）が作られるようになっているからである。
【００４７】
撮影に先立ってシナリオ動画記録を選択すると、液晶モニター１４にシナリオ選択画面７７が表示される。このシナリオ選択画面７７には、前記のシナリオテーブル４５のシナリオ名フィールド４９の格納内容（シナリオ名）を一覧表示するシナリオ選択リストボックス７８が含まれている。撮影者は、シナリオ選択リストボックス７８のリスト表示から撮影目的（ここでは“結婚式”）に合致するシナリオを選択するだけでよい。
【００４８】
また、シナリオ選択画面７７には、選択シナリオの詳細を解説するためのシナリオガイダンス表示領域７９が含まれている。このシナリオガイダンス表示領域７９は、選択中シナリオの文字ガイダンス５０ａの内容（たとえば、“結婚式（神前）用の撮影シナリオです”）を表示する。加えて、シナリオガイダンス表示領域７９は、選択シナリオのイラストガイダンス５０ｂが用意されている場合に、そのイラストガイダンス５０ｂの内容、たとえば、神前結婚式を端的に表したイラスト等の挿し絵や写真などを表示するためのイラスト表示領域８０を含む。
【００４９】
さて、神前の結婚式は、一般的に「のりと」や「玉ぐし奉納」及び「三々九度」などの式典の後に「披露宴」が催される。式典や披露宴は当然の撮影対象であるが、式典と披露宴の間の待ち時間も両家の親族や披露宴出席者同士の語らい（「団らん」）の場になるので、その団らんも記録として残すべきである。このような結婚式の流れ（式典→団らん→披露宴→・・・・）に沿って撮影シーンやカットの割り振りをしたスケジュールのことを「シナリオ」という。
【００５０】
撮影者がシナリオ選択画面７７で「結婚式」を選択すると、次に、液晶モニター１４にその結婚式のシナリオ画面８１が表示される。このシナリオ画面８１は、上下にスクロール可能なリスト形式であり、シーン名フィールド８１ａ、カット名フィールド８１ｂ及び撮影済記号フィールド８１ｃを含む。図示のシナリオ画面８１においては、シーン名“結婚式”のカット名“のりと”と“玉ぐし”に撮影済識別子（たとえば“済”）が入っており、且つ、カット名“三々九度”が反転表示されている。これは、既に“のりと”と“玉ぐし”の二つのカットの撮影が完了し、次のカット撮影予定が“三々九度”であることを表している。
【００５１】
“三々九度”の撮影に先立ち、液晶モニター１４にカットガイダンス画面８２が表示される。このカットガイダンス画面８２は、これから開始するカット撮影（“三々九度”）の文字ガイダンス５７ａの内容（たとえば、“照明使用、三脚使用、・・・・”などの撮影に関するアドバイス）を表示するカットガイダンス表示領域８３を含むとともに、これから開始するカット撮影のイラストガイダンス５７ｂが用意されている場合には、そのイラストガイダンス５７ｂの内容、たとえば、三々九度を端的に表したイラスト等の挿し絵や写真などを表示するためのイラスト表示領域８４を含む。
【００５２】
撮影者は、カットガイダンス画面８２の表示内容を確認し、たとえば、照明や三脚など所要の準備を整えてから三々九度の開始を待ち、三々九度の開始に伴ってカット撮影をスタートする。
【００５３】
カット撮影をスタートすると、記憶媒体３７にそのカット撮影の動画ファイルが記録されるとともに、液晶モニター１４に現在記録中のカット画像の確認画像（スルー画像８５）が表示される。一般的にデジタルビデオカメラ等の動画記録装置の多くは、自動露出や自動焦点などの撮影支援機能を備えているため、これらの支援機能を活用することにより、ある程度の良好な品質の動画を撮影することができる。しかしながら、よりよい品質を目指し、また、効果的な演出を望む場合には、こうした支援機能は若干の役不足を否めない。そのようなとき、一部の撮影条件を手動で設定しなければならないことがある。しかしながら、手動設定は、撮影者の負担を増やすし、そもそも撮影条件の手動設定は初心者にとって荷が重く、間違った手動設定はかえって画像の品質を落としたり、逆効果の演出になりかねない。
【００５４】
そこで、本実施形態の動画記録装置１では、そのカット撮影に関する撮影条件データ５８が用意されている場合、たとえば、絞りを開き気味にしたり、ホワイトバランスを白熱電球の色温度に合わせたりする等の撮影条件データ５８が用意されている場合には、そのデータに従って撮影制御部３１をコントロールするようにしている。もちろん、その撮影条件データ５８は、プロのカメラマンなどの高技量者の撮影テクニックを模倣したものである。したがって、これによれば、いちいち手動による撮影条件の設定を行う必要がなく、しかも、シーンにマッチした最適な撮影条件に自動設定できるから、撮影者の負担を軽減でき、良好な品質且つ所望の演出効果を高いレベルで達成したカット画像を簡単に記録することができる。
【００５５】
図１８は、図１６の各ステップの詳細な動作フローチャートを示す図である。この図において、シナリオ選択（ステップＳ１）は、あらかじめシナリオデータメモリ３４に保存されているシナリオテーブル４５のすべてのシナリオ名を液晶モニター１４の画面上に選択可能にリスト表示するステップ（ステップＳ１ａ）と、ユーザ操作に従いシナリオを選択するステップ（ステップＳ１ｂ）とを含む。
【００５６】
また、カット撮影（ステップＳ２）は、撮影開始を判定するステップ（ステップＳ２ａ）と、撮影開始後にユーザ操作と設定シナリオに従い該当するシナリオ・絵コンテ（イラスト）を自動作成してファインダー（液晶モニター１４）に表示するステップ（ステップＳ２ｂ）と、シナリオ・絵コンテを参照しながらユーザ操作とシナリオに従い各シーンやカットの撮影処理を行うステップ（ステップＳ２ｃ）と、撮影したシーンやカットの音声付き画像を記憶媒体３７に記録するステップ（ステップＳ２ｄ）と、撮影した音声付き画像のカット割り表（図１９参照）を履歴として作成し記憶媒体３７に記録するステップ（ステップＳ２ｅ）と、撮影終了まで以上の各ステップ（ステップＳ２ａ〜ステップＳ２ｅ）をループさせるステップ（ステップＳ２ｆ）とを含む。
【００５７】
また、編集（ステップＳ３）は、撮影したシーンやカットの画像を編集するか否かを判定するステップ（ステップＳ３ａ）と、編集する場合にユーザ操作に従い撮影記録した各シーンや各カットの音声付き画像を液晶モニター１４に再生表示するステップ（ステップＳ３ｂ）と、再生表示されている音声付き画像を編集（各画像の結合、順番の入れ替え又は撮影時間の調整など）するステップ（ステップＳ３ｃ）と、編集終了を判定するステップ（ステップＳ３ｄ）とを含む。
【００５８】
また、記録（ステップＳ４）は、編集を終えた画像（又は未編集の画像）を完成作品として記憶媒体３７に残すか否かを判定するステップ（ステップＳ４ａ）と、完成作品として残す場合にその画像を記憶媒体３７に記録するステップ（ステップＳ４ｂ）とを含む。
【００５９】
７．カット割り表
図１９は、カット割り表８６の概念図である。この図において、カット割り表８６は、撮影時刻フィールド８６ａと、撮影時間フィールド８６ｂと、シーンナンバーフィールド８６ｃと、シーン／カット名フィールド８６ｄと、撮影シナリオ／撮影ガイド文フィールド８６ｅと、撮影条件フィールド８６ｆとを有する。
【００６０】
撮影時刻フィールド８６ａには実際の撮影時刻が格納され、撮影時間フィールド８６ｂには各シーンやカットの撮影に要した時間が格納される。また、シーンナンバーフィールド８６ｃには使用したシーンの識別番号（シーンテーブル４６のシーンＩＤフィールド５２の内容）が格納され、シーン／カット名フィールド８６ｄには使用したシーンの名前（シーンテーブル４６のシーン名フィールド５３の内容）や使用したカットの名前（カットテーブル４７のカット名フィールド５６の内容）が格納される。
【００６１】
撮影シナリオ／撮影ガイド文フィールド８６ｅには使用したカットのガイダンス（カットテーブル４７のカットガイダンスフィールド５７の内容；特に文字ガイダンス５７ｅの内容）が格納され、撮影条件フィールド８６ｆには使用したカットの撮影条件データ（カットテーブル４７の撮影条件データフィールド５８の内容；たとえば、画角、照明、カメラワーク、・・・・等々）が格納される。
【００６２】
図示のカット割り表８６によれば、１１時３０分からの３０分間にかけて結婚式の各カット（のりと、玉ぐし奉天、三々九度、指輪交換、宣誓、固めの盃、親族紹介）を撮影している。この撮影に際しての指南情報は、“事前に撮影の許可とライトの使用許可をもらいましょう。カメラを三脚で固定して撮影しましょう。”というものである。また、この撮影に際しての撮影条件の一つ（画角）は、膝から上を撮影する構図（ＫＳ）や上半身（腰から上）を撮影する構図（ＷＳ）を駆使するというものであり、撮影条件の他の一つ（照明）は、ビデオライトを使用するというものであり、撮影条件のさらに他の一つ（カメラワーク）は、すべてのカットを（のりと、玉ぐし奉天、三々九度、指輪交換、宣誓、固めの盃、親族紹介）連続してノーカット（ＮｏＣｕｔ）で撮影するというものである。
【００６３】
前記の従来技術２と同様に、このカット割り表８６と撮影された動画ファイルとをパソコンに取り込むことにより、そのパソコン上で、カット割り表８６に基づく撮影済動画ファイルの再編集作業を行うことが可能である。また、このカット割り表８６を印刷し、完成作品（ビデオテープやＤＶＤなど）と一緒に結婚式の参加者等に配れば、作品の解説書となり、内容確認の手助けにもなるから好ましい。
【００６４】
８．他の実施形態
なお、以上の実施形態では、カットテーブル４７にカット名やカットガイダンス及び撮影条件データを格納しているが、これらに加えて、さらに、そのカットで使用可能な効果音やＢＧＭ（バックグラウンドミュージック）又はナレーションのデータを格納してもよい。
【００６５】
図２０は、カットテーブル４７の変形例を示す図である。この図において、効果音またはナレーションデータフィールド８７は、そのカットで使用可能な効果音やＢＧＭ又はナレーションのデータを格納する場所である。
【００６６】
図２１は、たとえば、小学校入学式のシナリオ概念図である。このシナリオ８８は、シーン／カットナンバーやシナリオ／撮影ガイドを格納するフィールド８８ａ、大体の撮影時間を格納するフィールド８８ｂ、そのシーンを適切に表す絵コンテ等のイラストを格納するフィールド８８ｃ、及び、撮影条件を格納するフィールド８８ｄを備えるとともに、そのシーンに適した効果音（ＳＥ）又はＢＧＭ若しくはナレーションを格納するフィールド８８ｅを備えている。
【００６７】
このシナリオ８８において、最初のシーン“１−１”では、絵コンテを参照しながら、「桜の花のアップ（ＵＰ）からズームバック（ＺＢ）する」撮影を大体１５秒間続ける。その間の効果音として鳥の声とＢＧＭ（曲１）を重畳録音する。次のシーン“１−２”では、絵コンテを参照しながら、「玄関を出る母と子の二人のＢＳとフレームアウト」の撮影を大体１０秒間続ける。その間に“桜の花の咲く春です。今日は＊＊の小学校の入学式です。”というナレーションを重畳録音する。なお、子供の名前（“＊＊”）の部分には、シナリオ８８を選択した際に撮影者によって入力された文字列（子供の名前：“太郎”）の合成音声が差し込まれる。
【００６８】
次のシーン“２−１”では、絵コンテを参照しながら、「小学校の近く。嬉しそうにやってくる新入生達。歩いて校門から入る二人。」の撮影を大体１０秒間続ける。その間に新入生や親子の声の効果音（ＳＥ）を重畳録音する。次のシーン“２−２”では、絵コンテを参照しながら、「小学校の正門の表札のズームアップ」の撮影を大体３秒間続ける。その間の効果音としてＢＧＭ（曲２）を重畳録音する。次のシーン“２−３”では、絵コンテを参照しながら、「クラス分けの名簿リストのアップ。上から下へパーンダウン」の撮影を大体５秒間続ける。その間の効果音等はなし。（以降のシーンは省略）
【００６９】
このように、このシナリオ８８によれば、シーンに応じた適切な効果音やＢＧＭ又はナレーションを入れることができ、より完成度の高い作品を作ることができる。
【００７０】
９．さらに他の実施形態
また、以上の実施形態では、必要なシナリオのすべてをあらかじめ動画撮影装置１の内部（シナリオデータメモリ３４）に格納することとしていたが、これに限定されない。たとえば、パソコンやインターネットあるいは携帯電話網、若しくは、テレビ放送網などを介して動画撮影装置１の内部に取り込み、シナリオデータメモリ３４に格納するようにしてもよい。
【００７１】
図２２は、シナリオデータの外部取り込みの概念図である。この図において、動画撮影装置１は、シナリオデータを外部から取り込むシナリオデータ取り込み手段としての、テレビアンテナ８９と、受信／復調回路９０、伝送復号回路９１及び情報復号回路９２などからなるデジタル放送／テレビ受信部９３と、フォーマット変換回路９４と、外部Ｉ／Ｏ９５とを備える。または、同シナリオデータ取り込み手段としての、ＬＡＮ（Local Area Network）通信ＩＦ回路９６と、ＬＡＮコネクタ９７と、外部Ｉ／Ｏ９５とを備える。または、同シナリオデータ取り込み手段としての、ＵＳＢ（Universal Serial Bus）通信ＩＦ回路９８と、ＵＳＢコネクタ９９と、外部Ｉ／Ｏ９５とを備える。又は、同シナリオデータ取り込み手段としての、無線アンテナ１００と、送受信回路１０１と、変調／復調回路１０２と、符号化／復号回路１０３と、無線通信ＩＦ回路１０４と、外部Ｉ／Ｏ９５とを備える。
【００７２】
これらの要素（シナリオデータ取り込み手段）のいずれか又はすべてを備えることにより、動画撮影装置１と外部のパソコン１０５とをＵＳＢで接続したり、ＬＡＮを介して外部のネットワーク１０６やインターネット１０７に接続したり、また、無線基地局やアクセスポイント１０８を介してインターネット１０７に接続したりできる。あるいは、テレビ放送局１０９からの電波を受信したりできる。これらにより、ＵＳＢ経由、ＬＡＮ経由、無線通信路経由、あるいはテレビジョン放送網経由でシナリオ情報サーバ１０５ａ（外部のパソコン）、シナリオ情報サーバ１０６ａ（ネットワーク上のサーバ）、シナリオ情報サーバ１０７ａ（インターネット上のサーバ）、又は、シナリオ情報サーバ１０９ａ（テレビジョン放送網上の配信サーバ）などからシナリオデータをダウンロードして動画撮影装置１の内部に取り込み、シナリオデータメモリ３４に格納することができる。
【００７３】
そして、このような外部からのシナリオデータの取り込みを可能とすることにより、動画撮影装置１のユーザにとっては、自分の撮影目的により合致した適切なシナリオを多種多様なシナリオの中から自由に選択できるというメリットが得られ、また、シナリオデータの配信者にとっては、たとえば、シナリオの使用料を徴収することにより、収益を確保してビジネスに結びつけられるというメリットが得られ、さらには、動画撮影装置１の製造者にとっては、他社の類似製品との差別化を図って市場の優位性を確保できるというメリットが得られる。
【図面の簡単な説明】
【００７４】
【図１】実施形態の動画記録装置１の外観図である。
【図２】動画記録装置１の内部ブロック図である。
【図３】シナリオデータ４４の概念図である。
【図４】シナリオデータ４４からのデータ取り出し概念図（１／３）である。
【図５】シナリオデータ４４からのデータ取り出し概念図（２／３）である。
【図６】シナリオデータ４４からのデータ取り出し概念図（３／３）である。
【図７】人物を撮影する場合の構図説明図である。
【図８】人物を撮影する場合の構図説明図である。
【図９】風景を撮影する場合の構図説明図である。
【図１０】カメラ６０の上下方向の構図説明図である。
【図１１】カメラ７１を横に振りながら撮影する技法を示す図である。
【図１２】カメラ７１を縦に振りながら撮影する技法を示す図である。
【図１３】被写体７２の動きをカメラ７３で追う場合の技法を示す図である。
【図１４】その他の撮影技法を示す用語説明図である。
【図１５】ライティングに関する用語説明図である。
【図１６】動画記録装置１の簡略化した動作フローチャートを示す図である。
【図１７】図１６の動作フローチャートに従って実行されるシナリオ動画記録の一例概念図である。
【図１８】図１６の各ステップの詳細な動作フローチャートを示す図である。
【図１９】カット割り表８６の概念図である。
【図２０】カットテーブル４７の変形例を示す図である。
【図２１】たとえば、小学校入学式のシナリオ概念図である。
【図２２】シナリオデータの外部取り込みの概念図である。
【符号の説明】
【００７５】
１  動画記録装置
１６  撮像系（撮像手段）
２０  表示系（表示手段）
３２  制御回路（変換手段）
３４  シナリオデータメモリ（シナリオデータ保持手段）
３７  記憶媒体（記憶手段）
５０ａ  文字ガイダンス（ガイダンス）
５０ｂ  イラストガイダンス（ガイダンス）
５７ａ  文字ガイダンス（ガイダンス）
５７ｂ  イラストガイダンス（ガイダンス）
５８  撮影条件データフィールド（撮影条件データ）
８９  テレビアンテナ（シナリオデータ取り込み手段）
９３  デジタル放送／テレビ受信部（シナリオデータ取り込み手段）
９４  フォーマット変換回路（シナリオデータ取り込み手段）
９５  外部Ｉ／Ｏ（シナリオデータ取り込み手段）
９６  ＬＡＮ通信ＩＦ回路（シナリオデータ取り込み手段）
９８  ＵＳＢ通信ＩＦ回路（シナリオデータ取り込み手段）
１００  無線アンテナ（シナリオデータ取り込み手段）
１０１  送受信回路（シナリオデータ取り込み手段）
１０２  変調／復調回路（シナリオデータ取り込み手段）
１０３  符号化／復号回路（シナリオデータ取り込み手段）
１０４  無線通信ＩＦ回路（シナリオデータ取り込み手段）
１０５ａ  シナリオ情報サーバ（外部のパソコン）
１０６ａ  シナリオ情報サーバ（ネットワーク上のサーバ）
１０７ａ  シナリオ情報サーバ（インターネット上のサーバ）
１０９ａ  シナリオ情報サーバ（テレビジョン放送網上の配信サーバ）
【図１】
2006174318.tif 000003
【図２】
2006174318.tif 000004
【図３】
2006174318.tif 000005
【図４】
2006174318.tif 000006
【図５】
2006174318.tif 000007
【図６】
2006174318.tif 000008
【図７】
2006174318.tif 000009
【図８】
2006174318.tif 000010
【図９】
2006174318.tif 000011
【図１０】
2006174318.tif 000012
【図１１】
2006174318.tif 000013
【図１２】
2006174318.tif 000014
【図１３】
2006174318.tif 000015
【図１４】
2006174318.tif 000016
【図１５】
2006174318.tif 000017
【図１６】
2006174318.tif 000018
【図１７】
2006174318.tif 000019
【図１８】
2006174318.tif 000020
【図１９】
2006174318.tif 000021
【図２０】
2006174318.tif 000022
【図２１】
2006174318.tif 000023
【図２２】
2006174318.tif 000024